(57)【要約】遠隔地から加入者の建物に隣接する地点まで延長され、分離周波数帯域によって分離された個々の周波数スペクトルに沿って反対方向にトラフィックを搬送する少なくとも１本の双方向同軸ケーブルと、加入者の建物に隣接する地点から加入者の建物の少なくとも１つのコンセントまで延長され、分離周波数帯域に沿ってトラフィックを搬送する少なくとも１本の双方向同軸ケーブルと、を含む双方向同軸ケーブル通信ネットワーク。【選択図】図１Ａ
2004525557.tif 000002
【特許請求の範囲】
【請求項１】
双方向同軸ケーブル通信ネットワークであって、
遠隔地から加入者の建物に隣接する地点まで延長され、分離周波数帯域によって分離された個々の周波数スペクトルに沿って反対方向にトラフィックを搬送する少なくとも１本の双方向同軸ケーブルと、
前記加入者の建物に隣接する地点から前記加入者の建物の少なくとも１つのコンセントまで延長され、前記分離周波数帯域に沿ってトラフィックを搬送する少なくとも１本の双方向同軸ケーブルと、を備える双方向同軸ケーブル通信ネットワーク。
【請求項２】
前記コンセントは、少なくとも１本の同軸ケーブルと接続するための同軸ケーブルソケットを備える請求項１に記載の双方向同軸ケーブル通信ネットワーク。
【請求項３】
前記コンセントは、前記同軸ケーブルにＵＳＢアダプタ回路を介して接続された無電源のＵＳＢコンセントを備える請求項１または２に記載の双方向同軸ケーブル通信ネットワーク。
【請求項４】
前記コンセントは、前記同軸ケーブルにＩＥＥＥ１３９４アダプタ回路を介して接続された無電源のＩＥＥＥ１３９４コンセントを備える請求項１〜３のいずれか一項に記載の双方向同軸ケーブル通信ネットワーク。
【請求項５】
前記同軸ケーブルはＲＦ信号を搬送する請求項１〜４のいずれか一項に記載の双方向同軸ケーブル通信ネットワーク。
【請求項６】
前記コンセントは壁面コンセントを備える請求項１〜５のいずれか一項に記載の双方向同軸ケーブル通信ネットワーク。
【請求項７】
前記同軸ケーブルに接続された赤外線トランシーバを更に備える請求項１〜６のいずれか一項に記載の双方向同軸ケーブル通信ネットワーク。
【請求項８】
前記同軸ケーブルに接続されたブルートゥーストランシーバを更に備える請求項１〜７のいずれか一項に記載の双方向同軸ケーブル通信ネットワーク。
【請求項９】
前記同軸ケーブルに接続されたワイヤレスＲＦトランシーバを更に備える請求項１〜８のいずれか一項に記載の双方向同軸ケーブル通信ネットワーク。
【請求項１０】
前記分離周波数帯域に沿って搬送される前記トラフィックは、ＶＳＡＴトラフィックを含む請求項１〜９のいずれか一項に記載の双方向同軸ケーブル通信ネットワーク。
【請求項１１】
双方向同軸ケーブル通信ネットワークであって、
遠隔地から加入者の建物に隣接する地点まで延長され、反対方向にトラフィックを搬送する少なくとも１つの通信リンクと、
前記加入者の建物に隣接する地点から前記加入者の建物の少なくとも１つのコンセントまで延長され、第１周波数帯域に沿ってＤＢＳテレビトラフィックを搬送し、前記第１周波数帯域外の第２周波数帯域に沿ってその他のトラフィックを搬送する少なくとも１本の双方向同軸ケーブルと、を備える双方向同軸ケーブル通信ネットワーク。
【請求項１２】
前記その他のトラフィックは、広帯域データトラフィックを備える請求項１１に記載の双方向同軸ケーブル通信ネットワーク。
【請求項１３】
前記コンセントは、少なくとも１本の同軸ケーブルと接続するための同軸ケーブルソケットを有する請求項１１または１２に記載の双方向同軸ケーブル通信ネットワーク。
【請求項１４】
前記コンセントは、前記同軸ケーブルにＵＳＢアダプタ回路を介して接続された無電源のＵＳＢコンセントを備える請求項１１〜１３のいずれか一項に記載の双方向同軸ケーブル通信ネットワーク。
【請求項１５】
前記コンセントは、前記同軸ケーブルにＩＥＥＥ１３９４アダプタ回路を介して接続された無電源のＩＥＥＥ１３９４コンセントを備える請求項１１〜１４のいずれか一項に記載の双方向同軸ケーブル通信ネットワーク。
【請求項１６】
前記同軸ケーブルはＲＦ信号を搬送する請求項１１〜１５のいずれか一項に記載の双方向同軸ケーブル通信ネットワーク。
【請求項１７】
前記コンセントは壁面コンセントを備える請求項１１〜１６のいずれか一項に記載の双方向同軸ケーブル通信ネットワーク。
【請求項１８】
前記同軸ケーブルに接続された赤外線トランシーバを更に備える請求項１１〜１７のいずれか一項に記載の双方向同軸ケーブル通信ネットワーク。
【請求項１９】
前記同軸ケーブルに接続されたブルートゥーストランシーバを更に備える請求項１１〜１８のいずれか一項に記載の双方向同軸ケーブル通信ネットワーク。
【請求項２０】
前記同軸ケーブルに接続されたワイヤレスＲＦトランシーバを更に備える請求項１１〜１９のいずれか一項に記載の双方向同軸ケーブル通信ネットワーク。
【請求項２１】
双方向同軸ケーブル通信ネットワークであって、
同軸ケーブルと、
前記同軸ケーブルに接続された赤外線トランシーバと、を備える双方向同軸ケーブル通信ネットワーク。
【請求項２２】
前記同軸ケーブルはＲＦ信号を搬送する請求項２１に記載の双方向同軸ケーブル通信ネットワーク。
【請求項２３】
前記同軸ケーブルに接続されたブルートゥーストランシーバを更に備える請求項２１または２２に記載の双方向同軸ケーブル通信ネットワーク。
【請求項２４】
前記同軸ケーブルに接続されたワイヤレスＲＦトランシーバを更に備える請求項２１〜２３のいずれか一項に記載の双方向同軸ケーブル通信ネットワーク。
【請求項２５】
双方向同軸ケーブル通信ネットワークであって、
同軸ケーブルと、
前記同軸ケーブルに接続されたブルートゥーストランシーバと、を備える双方向同軸ケーブル通信ネットワーク。
【請求項２６】
前記同軸ケーブルはＲＦ信号を搬送する請求項２５に記載の双方向同軸ケーブル通信ネットワーク。
【請求項２７】
前記同軸ケーブルに接続されたワイヤレスＲＦトランシーバを更に備える請求項２５又は請求項２６に記載の双方向同軸ケーブル通信ネットワーク。
【請求項２８】
双方向同軸ケーブル通信ネットワークであって、
同軸ケーブルと、
前記同軸ケーブルに接続されたワイヤレスＲＦトランシーバと、を備える双方向同軸ケーブル通信ネットワーク。
【請求項２９】
前記同軸ケーブルはＲＦ信号を搬送する請求項２８に記載の双方向同軸ケーブル通信ネットワーク。
【請求項３０】
双方向同軸ケーブル通信ネットワークであって、
ケーブルと、
前記ケーブルにＵＳＢアダプタ回路を介して接続された無電源のＵＳＢコンセントと、を備える双方向同軸ケーブル通信ネットワーク。
【請求項３１】
前記ケーブルはＲＦ信号を搬送する請求項３０に記載の双方向同軸ケーブル通信ネットワーク。
【請求項３２】
前記ケーブルに接続された赤外線トランシーバを更に備える請求項３０または３１に記載の双方向同軸ケーブル通信ネットワーク。
【請求項３３】
前記同軸ケーブルにＩＥＥＥ１３９４アダプタ回路を介して接続された無電源のＩＥＥＥ１３９４コンセントを更に備える請求項３０〜３２のいずれか一項に記載の双方向同軸ケーブル通信ネットワーク。
【請求項３４】
前記ケーブルに接続されたブルートゥーストランシーバを更に備える請求項３０〜３３のいずれか一項に記載の双方向同軸ケーブル通信ネットワーク。
【請求項３５】
前記ケーブルに接続されたワイヤレスＲＦトランシーバを更に備える請求項３０〜３４のいずれか一項に記載の双方向同軸ケーブル通信ネットワーク。
【請求項３６】
多機能コンセントであって、
同軸ケーブルと接続するための同軸ケーブルソケットと、
前記同軸ケーブルにＵＳＢアダプタ回路を介して接続された無電源のＵＳＢコンセントと、を備える多機能コンセント。
【請求項３７】
前記同軸ケーブルはＲＦ信号を搬送する請求項３６に記載の多機能コンセント。
【請求項３８】
コンセントであって、
少なくとも１本の同軸ケーブルと接続するための同軸ケーブルソケットと、
前記同軸ケーブルにＵＳＢアダプタ回路を介して接続された無電源のＵＳＢコンセントと、を備えるコンセント。
【請求項３９】
前記同軸ケーブルはＲＦ信号を搬送する請求項３８に記載のコンセント。
【請求項４０】
コンセントであって、
少なくとも１本の同軸ケーブルと接続するための同軸ケーブルソケットと、
前記同軸ケーブルにＩＥＥＥ１３９４アダプタ回路を介して接続された無電源のＩＥＥＥ１３９４コンセントと、を備えるコンタクト。
【請求項４１】
前記同軸ケーブルはＲＦ信号を搬送する請求項３８に記載のコンセント。
【請求項４２】
コンセントであって、
同軸ケーブルと接続するための同軸ケーブルソケットと、
前記同軸ケーブルに接続された赤外線トランシーバと、を備えるコンセント。
【請求項４３】
前記同軸ケーブルはＲＦ信号を搬送する請求項４２に記載のコンセント。
【請求項４４】
コンセントであって、
同軸ケーブルと接続するための同軸ケーブルソケットと、
前記同軸ケーブルに接続されたブルートゥーストランシーバと、を備えるコンセント。
【請求項４５】
前記同軸ケーブルはＲＦ信号を搬送する請求項４４に記載のコンセント。
【請求項４６】
コンセントであって、
同軸ケーブルと接続するための同軸ケーブルソケットと、
前記同軸ケーブルに接続されたワイヤレスＲＦトランシーバと、を備えるコンセント。
【請求項４７】
前記同軸ケーブルはＲＦ信号を搬送する請求項４６に記載のコンセント。
【請求項４８】
ホームネットワーキングシステムであって、
ＲＦトラフィックを搬送する同軸ケーブル配線と、
前記同軸ケーブル配線に接続された複数のコンセントと、を備えるホームネットワーキングシステム。
【請求項４９】
前記コンセントの中の少なくとも１つは、少なくとも１本の同軸ケーブルと接続するための同軸ケーブルソケットを備える請求項４８に記載のホームネットワーキングシステム。
【請求項５０】
前記コンセントの中の少なくとも１つは、前記同軸ケーブル配線にＵＳＢアダプタ回路を介して接続された無電源のＵＳＢコンセントを備える請求項４８に記載のホームネットワーキングシステム。
【請求項５１】
前記コンセントの中の少なくとも１つは、前記同軸ケーブルにＵＳＢアダプタ回路を介して接続された無電源のＵＳＢコンセントを備える請求項４９に記載のホームネットワーキングシステム。
【請求項５２】
前記コンセントの中の少なくとも１つは、壁面コンセントを備える請求項４８〜５１のいずれか一項に記載のホームネットワーキングシステム。
【請求項５３】
前記同軸ケーブル配線に接続された赤外線トランシーバを更に備える請求項４８〜５２のいずれか一項に記載のホームネットワーキングシステム。
【請求項５４】
前記同軸ケーブルに接続された赤外線トランシーバを更に備える請求項４８〜５２のいずれか一項に記載のホームネットワーキングシステム。
【請求項５５】
前記同軸ケーブル配線に接続された無電源のＩＥＥＥ１３９４を更に備える請求項４８〜５４のいずれか一項に記載のホームネットワーキングシステム。
【請求項５６】
前記同軸ケーブル配線に接続されたブルートゥーストランシーバを更に備える請求項４８〜５５のいずれか一項に記載のホームネットワーキングシステム。
【請求項５７】
前記同軸ケーブルに接続されたブルートゥーストランシーバを更に備える請求項４８〜５５のいずれか一項に記載のホームネットワーキングシステム。
【請求項５８】
前記同軸ケーブル配線に接続されたワイヤレスＲＦトランシーバを更に備える請求項４８〜５７のいずれか一項に記載のホームネットワーキングシステム。
【請求項５９】
前記同軸ケーブルに接続されたＲＦトランシーバを更に備える請求項４８〜５７のいずれか一項に記載のホームネットワーキングシステム。
【請求項６０】
前記同軸ケーブルに接続されたＩＥＥＥ１３９４トランシーバを更に備える請求項４８〜５９のいずれか一項に記載のホームネットワーキングシステム。
【請求項６１】
ホームネットワーキングシステムであって、
同軸ケーブルと接続するための少なくとも１つの同軸ケーブルソケットと、
前記同軸ケーブルに接続された少なくとも１つの赤外線トランシーバと、を備えるホームネットワーキングシステム。
【請求項６２】
前記同軸ケーブルはＲＦ信号を搬送する請求項６１に記載のホームネットワーキングシステム。
【請求項６３】
前記同軸ケーブルに接続されたブルートゥーストランシーバを更に備える請求項６１または６２に記載のホームネットワーキングシステム。
【請求項６４】
前記同軸ケーブルに接続されたワイヤレスＲＦトランシーバを更に備える請求項６１〜６３のいずれか一項に記載のホームネットワーキングシステム。
【請求項６５】
前記同軸ケーブルに接続されたＩＥＥＥ１３９４トランシーバを更に備える請求項６１〜６４のいずれか一項に記載のホームネットワーキングシステム。
【請求項６６】
ホームネットワーキングシステムであって、
同軸ケーブルと接続するための少なくとも１つの同軸ケーブルソケットと、
前記同軸ケーブルに接続された少なくとも１つのブルートゥーストランシーバと、を備えるホームネットワーキングシステム。
【請求項６７】
前記同軸ケーブルはＲＦ信号を搬送する請求項６６に記載のホームネットワーキングシステム。
【請求項６８】
前記同軸ケーブルに接続された赤外線トランシーバを更に備える請求項６６または６７に記載のホームネットワーキングシステム。
【請求項６９】
前記同軸ケーブルに接続されたワイヤレスＲＦトランシーバを更に備える請求項６６〜６８のいずれか一項に記載のホームネットワーキングシステム。
【請求項７０】
前記同軸ケーブルに接続されたＩＥＥＥ１３９４トランシーバを更に備える請求項６６〜６９のいずれか一項に記載のホームネットワーキングシステム。
【請求項７１】
ホームネットワーキングシステムであって、
同軸ケーブルと接続するための少なくとも１つの同軸ケーブルソケットと、
前記同軸ケーブルに接続された少なくとも１つのワイヤレスＲＦトランシーバと、を備えるホームネットワーキングシステム。
【請求項７２】
前記同軸ケーブルはＲＦ信号を搬送する請求項７１に記載のホームネットワーキングシステム。
【請求項７３】
前記同軸ケーブルに接続された赤外線トランシーバを更に備える請求項７１または７２に記載のホームネットワーキングシステム。
【請求項７４】
前記同軸ケーブルに接続されたブルートゥーストランシーバを更に備える請求項７１〜７３のいずれか一項に記載のホームネットワーキングシステム。
【請求項７５】
前記同軸ケーブルに接続されたＩＥＥＥ１３９４トランシーバを更に備える請求項７１〜７４のいずれか一項に記載のホームネットワーキングシステム。
【請求項７６】
ホームネットワーキングシステムであって、
ケーブルと接続するための少なくとも１つのケーブルコネクタと、
前記ケーブルコネクタにＵＳＢアダプタ回路を介して接続された少なくとも１つの無電源のＵＳＢコンセントと、を備えるホームネットワーキングシステム。
【請求項７７】
前記ケーブルコネクタはＲＦ信号を搬送する請求項７６に記載のホームネットワーキングシステム。
【請求項７８】
前記ケーブルコネクタに接続された赤外線トランシーバを更に備える請求項７６または７７に記載のホームネットワーキングシステム。
【請求項７９】
前記ケーブルコネクタに接続されたブルートゥーストランシーバを更に備える請求項７６〜７８のいずれか一項に記載のホームネットワーキングシステム。
【請求項８０】
前記ケーブルコネクタに接続されたワイヤレスＲＦトランシーバを更に備える請求項７６〜７９のいずれか一項に記載のホームネットワーキングシステム。
【請求項８１】
前記ケーブルコネクタに接続されたＩＥＥＥ１３９４トランシーバを更に備える請求項７６〜８０のいずれか一項に記載のホームネットワーキングシステム。
【請求項８２】
ホームネットワーキングシステムであって、
ケーブルと接続するための少なくとも１つのケーブルコネクタと、
前記ケーブルコネクタに接続された少なくとも１つの赤外線トランシーバと、を備えるホームネットワーキングシステム。
【請求項８３】
前記ケーブルコネクタはＲＦ信号を搬送する請求項８２に記載のホームネットワーキングシステム。
【請求項８４】
前記ケーブルコネクタに接続されたブルートゥーストランシーバを更に備える請求項８２または８３に記載のホームネットワーキングシステム。
【請求項８５】
前記ケーブルコネクタに接続されたワイヤレスＲＦトランシーバを更に備える請求項８２〜８４のいずれか一項に記載のホームネットワーキングシステム。
【請求項８６】
ホームネットワーキングシステムであって、
ケーブルと接続するための少なくとも１つのケーブルコネクタと、
前記ケーブルコネクタに接続された少なくとも１つのブルートゥーストランシーバと、を有するホームネットワーキングシステム。
【請求項８７】
前記ケーブルコネクタはＲＦ信号を搬送する請求項８６に記載のホームネットワーキングシステム。
【請求項８８】
前記ケーブルコネクタに接続された赤外線トランシーバを更に備える請求項８６または８７に記載のホームネットワーキングシステム。
【請求項８９】
前記ケーブルコネクタに接続されたワイヤレスＲＦトランシーバを更に備える請求項８６〜８８のいずれか一項に記載のホームネットワーキングシステム。
【請求項９０】
ホームネットワーキングシステムであって、
ケーブルと接続するための少なくとも１つのケーブルコネクタと、
前記ケーブルコネクタに接続された少なくとも１つのＩＥＥＥ１３９４トランシーバと、を備えるホームネットワーキングシステム。
【請求項９１】
前記ケーブルコネクタはＲＦ信号を搬送する請求項９０に記載のホームネットワーキングシステム。
【請求項９２】
前記ケーブルコネクタに接続された赤外線トランシーバを更に備える請求項９０または９１に記載のホームネットワーキングシステム。
【請求項９３】
前記ケーブルコネクタに接続されたワイヤレスＲＦトランシーバを更に備える請求項９０〜９２のいずれか一項に記載のホームネットワーキングシステム。
【請求項９４】
前記ケーブルコネクタに接続されたブルートゥーストランシーバを更に備える請求項９０〜９３のいずれか一項に記載のホームネットワーキングシステム。
【発明の詳細な説明】
【技術分野】
【０００１】
本発明は、同軸ケーブル通信に関し、更に詳しくは、同軸ケーブル通信ネットワークおよび壁面コンセントに関するものである。
【０００２】
（同時継続出願に対する参照）
本出願人は、ここに、「ＣａｂｌｅＲＡＮ」という名称の２００１年２月１３日出願の米国仮特許出願第６０／２６８，６１０号、「同軸ケーブルによるＣａｂｌｅＲＡＮネットワーキング（ＣａｂｌｅＲＡＮ  Ｎｅｔｗｏｒｋｉｎｇ  Ｏｖｅｒ  Ｃｏａｘｉａｌ  Ｃａｂｌｅｓ）」という名称の２００１年５月１８日出願の米国特許出願第０９／８６０，２３８号、および「同軸ケーブルによるＣａｂｌｅＲＡＮホームネットワーキング（ＣａｂｌｅＲＡＮ  Ｈｏｍｅ  Ｎｅｔｗｏｒｋｉｎｇ  Ｏｖｅｒ  Ｃｏａｘｉａｌ  Ｃａｂｌｅｓ）」という名称の２００１年５月１８日出願の米国特許出願第０９／８６０，２３９号の優先権を主張する。
【背景技術】
【０００３】
以下の米国特許は、当技術分野の現状を表していると考えられる。
３，８３６，８８８；４，４１３，２２９；５，３４３，２４０；５，４４０，３３５；５，７９６，７３９；５，８０５，８０６；５，８２２，６７７；５，８２２，６７８；５，８４５，１９０；５，８９６，５５６；５，９１７，６２４；５，９６３，８４４；６，０８１，５１９
【発明の開示】
【発明が解決しようとする課題】
【０００４】
本発明は、改善された双方向同軸ケーブル通信ネットワークおよびそのコンポーネントを提供しようとするものである。
【課題を解決するための手段】
【０００５】
従って、本発明の好適な実施例に従い、遠隔地から加入者の建物に隣接する地点まで延長され、分離周波数帯域によって分離された個々の周波数スペクトルに沿って反対方向にトラフィックを搬送する少なくとも１本の双方向同軸ケーブルと、加入者の建物に隣接する地点から加入者の建物の少なくとも１つのコンセントまで延長され、分離周波数帯域に沿ってトラフィックを搬送する少なくとも１本の双方向同軸ケーブルと、を含む双方向同軸ケーブル通信ネットワークが提供される。
【０００６】
また、本発明の好適な実施例に従い、遠隔地から加入者の建物に隣接する地点に延長し、反対方向にトラフィックを搬送する少なくとも１つの通信リンクと、加入者の建物に隣接する地点から加入者の建物の少なくとも１つのコンセントまで延長され、第１周波数帯域に沿ってＤＢＳテレビトラフィックを搬送すると共に、第１周波数帯域外の第２周波数帯域に沿ってその他のトラフィックを搬送する少なくとも１本の双方向同軸ケーブルと、を含む双方向同軸ケーブル通信ネットワークが提供される。
【０００７】
更に、本発明の好適な実施例に従い、このコンセントは、少なくとも１本の同軸ケーブルと接続するための同軸ケーブルソケットを含んでいる。
【０００８】
加えて、もしくは、この代わりに、このコンセントは、同軸ケーブルにＵＳＢ（Ｕｎｉｖｅｒｓａｌ  Ｓｅｒｉａｌ  Ｂｕｓ）アダプタ回路を介して接続された無電源のＵＳＢコンセントを含んでいる。
【０００９】
その上に、本発明の好適な実施例に従い、このコンセントは、同軸ケーブルにＩＥＥＥ１３９４ファイヤワイヤアダプタ回路を介して接続された無電源のＩＥＥＥ１３９４ファイヤワイヤコンセントを含んでいる。
【００１０】
加えて、本発明の好適な実施例に従い、この同軸ケーブルはＲＦ信号を搬送する。
【００１１】
更にまた、本発明の好適な実施例に従い、このコンセントは、壁面コンセントを含んでいる。
【００１２】
更に、本発明の好適な実施例に従い、このネットワークは、同軸ケーブルに接続された赤外線トランシーバをも含んでいる。
【００１３】
その上に、本発明の好適な実施例に従い、このネットワークは、同軸ケーブルに接続されたブルートゥーストランシーバをも含んでいる。
【００１４】
加えて、本発明の好適な実施例に従い、このネットワークは、同軸ケーブルに接続されたワイヤレスＲＦトランシーバをも含んでいる。
【００１５】
更にまた、本発明の好適な実施例に従い、分離周波数帯域に沿って搬送されるトラフィックは、ＶＳＡＴトラフィックを含んでいる。
【００１６】
更に、本発明の好適な実施例に従い、その他のトラフィックは、広帯域データトラフィックを含んでいる。
【００１７】
本発明の更に別の好適な実施例に従い、同軸ケーブルと、この同軸ケーブルに接続された赤外線トランシーバと、を含む双方向同軸ケーブル通信ネットワークが提供される。
【００１８】
更に、本発明の好適な実施例に従い、この同軸ケーブルはＲＦ信号を搬送する。
【００１９】
更にまた、本発明の好適な実施例に従い、このネットワークは、同軸ケーブルに接続されたブルートゥーストランシーバをも含んでいる。
【００２０】
加えて、本発明の好適な実施例に従い、このネットワークは、同軸ケーブルに接続されたワイヤレスＲＦトランシーバをも含んでいる。
【００２１】
また、本発明の更なる好適な実施例に従い、同軸ケーブルと、この同軸ケーブルに接続されたブルートゥーストランシーバと、を含む双方向同軸ケーブル通信ネットワークも提供される。
【００２２】
更に、本発明の好適な実施例に従い、この同軸ケーブルはＲＦ信号を搬送する。
【００２３】
更に、本発明の好適な実施例に従い、このネットワークは、同軸ケーブルに接続されたワイヤレスＲＦトランシーバをも含んでいる。
【００２４】
また、本発明の更に別の好適な実施例に従い、同軸ケーブルと、この同軸ケーブルに接続されたワイヤレスＲＦトランシーバと、を含む双方向同軸ケーブル通信ネットワークも提供される。
【００２５】
更に、本発明の好適な実施例に従い、この同軸ケーブルはＲＦ信号を搬送する。
【００２６】
更に、本発明の好適な実施例に従い、ケーブルと、このケーブルにＵＳＢアダプタ回路を介して接続された無電源のＵＳＢコンセントと、を含む双方向同軸ケーブル通信ネットワークが提供される。
【００２７】
また、本発明の好適な実施例に従い、ケーブルと、この同軸ケーブルにＩＥＥＥ１３９４ファイヤワイヤアダプタ回路を介して接続された無電源のＩＥＥＥ１３９４ファイヤワイヤコンセントと、を含む双方向同軸ケーブル通信ネットワークも提供される。
【００２８】
更に、本発明の好適な実施例に従い、このケーブルはＲＦ信号を搬送する。
【００２９】
更にまた、本発明の好適な実施例に従い、このネットワークは、ケーブルに接続された赤外線トランシーバをも含んでいる。
【００３０】
更に、本発明の好適な実施例に従い、このネットワークは、ケーブルに接続されたブルートゥーストランシーバをも含んでいる。
【００３１】
その上に、本発明の好適な実施例に従い、このネットワークは、ケーブルに接続されたワイヤレスＲＦトランシーバをも含んでいる。
【００３２】
本発明のまた更なる好適な実施例に従い、同軸ケーブルと接続するための同軸ケーブルソケットと、同軸ケーブルにＵＳＢアダプタ回路を介して接続された無電源のＵＳＢコンセントと、を含む多機能コンセントが提供される。
【００３３】
本発明のまた更なる別の好適な実施例に従い、同軸ケーブルと接続するための同軸ケーブルソケットと、同軸ケーブルにＩＥＥＥ１３９４ファイヤワイヤアダプタ回路を介して接続された無電源のＩＥＥＥ１３９４ファイヤワイヤコンセントと、を含む多機能コンセントが提供される。
【００３４】
本発明のまた更なる別の好適な実施例に従い、少なくとも１本の同軸ケーブルと接続するための同軸ケーブルソケットと、同軸ケーブルにＵＳＢアダプタ回路を介して接続された無電源のＵＳＢコンセントと、を含むコンセントが提供される。
【００３５】
本発明のまた更なる別の好適な実施例に従い、少なくとも１本の同軸ケーブルと接続するための同軸ケーブルソケットと、同軸ケーブルにＩＥＥＥ１３９４ファイヤワイヤアダプタ回路を介して接続された無電源のＩＥＥＥ１３９４ファイヤワイヤコンセントと、を含むコンセントが提供される。
【００３６】
本発明の別の好適な実施例に従い、同軸ケーブルと接続するための同軸ケーブルソケットと、同軸ケーブルに接続された赤外線トランシーバと、を含むコンセントが提供される。
【００３７】
また、本発明の好適な実施例に従い、同軸ケーブルと接続するための同軸ケーブルソケットと、同軸ケーブルに接続されたブルートゥーストランシーバと、を含むコンセントも提供される。
【００３８】
また、本発明の更に別の好適な実施例に従い、同軸ケーブルと接続するための同軸ケーブルソケットと、同軸ケーブルに接続されたワイヤレスＲＦトランシーバと、を含むコンセントも提供される。
【００３９】
更に、本発明の好適な実施例に従い、この同軸ケーブルはＲＦ信号を搬送する。
【００４０】
本発明の好適な実施例に従い、ＲＦトラフィックを搬送する同軸ケーブル配線と、この同軸ケーブル配線に接続された複数のコンセントを含むホームネットワーキングシステムが提供される。
【００４１】
更にまた、本発明の好適な実施例に従い、これらのコンセントの中の少なくとも１つは、少なくとも１本の同軸ケーブルと接続するための同軸ケーブルソケットを含んでいる。
【００４２】
この代わりに、これらのコンセントの中の少なくとも１つは、同軸ケーブル配線にＵＳＢアダプタ回路を介して接続された無電源のＵＳＢコンセントを含んでいる。
【００４３】
更にまた、本発明の好適な実施例に従い、これらのコンセントの中の少なくとも１つは壁面コンセントを含んでいる。
【００４４】
加えて、本発明の好適な実施例に従い、このホームネットワーキングシステムは、同軸ケーブル配線に接続された赤外線トランシーバをも含んでいる。
【００４５】
更にまた、本発明の好適な実施例に従い、このホームネットワーキングシステムは、同軸ケーブル配線に接続された無電源のＩＥＥＥ１３９４をも含んでいる。
【００４６】
更に、本発明の好適な実施例に従い、このホームネットワーキングシステムは、同軸ケーブル配線に接続されたブルートゥーストランシーバをも含んでいる。
【００４７】
その上に、本発明の好適な実施例に従い、このホームネットワーキングシステムは、同軸ケーブル配線に接続されたワイヤレスＲＦトランシーバをも含んでいる。
【００４８】
更に、本発明の別の好適な実施例に従い、同軸ケーブルと接続するための少なくとも１つの同軸ケーブルソケットと、同軸ケーブルに接続された少なくとも１つのブルートゥーストランシーバと、を含むホームネットワーキングシステムが提供される。
【００４９】
また、本発明の更に別の好適な実施例に従い、同軸ケーブルと接続するための少なくとも１つの同軸ケーブルソケットと、同軸ケーブルに接続された少なくとも１つのワイヤレスＲＦトランシーバと、を含むホームネットワーキングシステムも提供される。
【００５０】
また、本発明の別の好適な実施例に従い、同軸ケーブルと接続するための少なくとも１つの同軸ケーブルソケットと、同軸ケーブルと接続された少なくとも１つの赤外線トランシーバと、を含むホームネットワーキングシステムも提供される。
【００５１】
更に、本発明の好適な実施例に従い、この同軸ケーブルはＲＦ信号を搬送する。
【００５２】
更に、本発明の好適な実施例に従い、このホームネットワーキングシステムは、同軸ケーブルに接続された赤外線トランシーバをも含んでいる。
【００５３】
更にまた、本発明の好適な実施例に従い、このホームネットワーキングシステムは、同軸ケーブルに接続されたブルートゥーストランシーバをも含んでいる。
【００５４】
加えて、本発明の好適な実施例に従い、このホームネットワーキングシステムは、同軸ケーブルに接続されたワイヤレスＲＦトランシーバをも含んでいる。
【００５５】
その上に、本発明の好適な実施例に従い、このホームネットワーキングシステムは、同軸ケーブルに接続されたＩＥＥＥ１３９４トランシーバをも含んでいる。
【００５６】
更に、本発明の更に別の好適な実施例に従い、ケーブルと接続するための少なくとも１つのケーブルコネクタと、このケーブルコネクタにＵＳＢアダプタ回路を介して接続された少なくとも１つの無電源のＵＳＢコンセントと、を含むホームネットワーキングシステムが提供される。
【００５７】
更に、本発明の別の好適な実施例に従い、ケーブルと接続するための少なくとも１つのケーブルコネクタと、このケーブルコネクタに接続された少なくとも１つの赤外線トランシーバと、を含むホームネットワーキングシステムが提供される。
【００５８】
本発明のまた更なる実施例に従い、ケーブルと接続するための少なくとも１つのケーブルコネクタと、このケーブルコネクタに接続された少なくとも１つのブルートゥーストランシーバと、を含むホームネットワーキングシステムが提供される。
【００５９】
更に、本発明の更に別の好適な実施例に従い、ケーブルと接続するための少なくとも１つのケーブルコネクタと、このケーブルコネクタに接続された少なくとも１つのＩＥＥＥ１３９４トランシーバと、を含むホームネットワーキングシステムが提供される。
【００６０】
更に、本発明の好適な実施例に従い、このホームネットワーキングシステムケーブルコネクタはＲＦ信号を搬送する。
【００６１】
更にまた、本発明の好適な実施例に従い、このホームネットワーキングシステムは、ケーブルコネクタに接続された赤外線トランシーバをも含んでいる。
【００６２】
加えて、本発明の好適な実施例に従い、このホームネットワーキングシステムは、ケーブルコネクタに接続されたブルートゥーストランシーバをも含んでいる。
【００６３】
その上に、本発明の好適な実施例に従い、このホームネットワーキングシステムは、ケーブルコネクタに接続されたワイヤレスＲＦトランシーバをも含んでいる。
【００６４】
更に、本発明の好適な実施例に従い、このホームネットワーキングシステムは、ケーブルコネクタに接続されたＩＥＥＥ１３９４トランシーバをも含んでいる。
【００６５】
尚、本出願において使用する「ワイヤレスＲＦ」という用語は、ＩＥＥＥ８０２．１１規格を指し、通常、ＩＥＥＥ８０２．１１Ａ及びＩＥＥＥ８０２．１１Ｂ規格を含んでいることが好ましい。
本発明は、以下の添付の図面との関連で本明細書の詳細な説明を参照することによって明らかとなり、十分に理解されよう。
【発明を実施するための最良の形態】
【００６６】
まず、図１Ａを参照すれば、本発明の好適な実施例に従って構築されかつ動作可能な双方向同軸ケーブル通信ネットワークおよびコンポーネントが示されている。図１Ａに示されているように、ヘッドエンド（図示せず）などの遠隔地から加入者の建物に隣接する地点（参照符号１２によって示されているもの）まで延長され、分離周波数帯域によって分離された個々の周波数スペクトルに沿って反対方向にトラフィックを搬送する少なくとも１本の双方向同軸ケーブル１０を含む双方向同軸ケーブル通信ネットワークが提供されている。
【００６７】
同軸ケーブル１０は、メディアアクセススイッチ（ＭＡＳ）１６から入力を受信する地点１２に位置する方向性カプラ１４内で終端していることが好ましく、このメディアアクセススイッチの好適な実施例については、図２を参照して後述する。メディアアクセススイッチ１６は、方向性カプラ内の適切なタップに接続された同軸双方向リンク１８を介して方向性カプラ１４に接続され、適切な双方向データリンク２０によってデータの供給元および／または供給先に接続されていることが好ましい。
【００６８】
好適な方向性カプラ１４は、米国のブロンダー・タング社（Ｂｌｏｎｄｅｒ−Ｔｏｎｇｕｅ  ｏｆ  ｔｈｅ  Ｕ．Ｓ．Ａ．）から市販されているＺＣＷまたはＺＤＣ型の方向性カプラである。
【００６９】
本発明の好適な実施例に従い、少なくとも１本の双方向同軸ケーブル２２が、地点１２の方向性カプラ１４から加入者の建物の少なくとも１つのコンセント２４まで延長され、分離周波数帯域に沿ってトラフィックを搬送する。好適なコンセント２４は多機能コンセントであり、この好適な実施例については、図５および６を参照して後述する。
【００７０】
図７は、代表的な双方向同軸ケーブル通信の周波数スペクトルを示している。通常、５〜４２ＭＨｚおよび５５〜８６０ＭＨｚの帯域が個々のアップストリームおよびダウンストリーム方向の従来の同軸ケーブル通信に利用されていることがわかる。本発明の好適な実施例に従い、変調器２０６および増幅器２１０（図２）から、ならびに増幅器２１２および復調器２０８（図２）に対して、それぞれ情報を搬送するべく、追加のアップストリーム帯域２６および追加のダウンストリーム帯域２８を設けている。加えて、もしくは、この代わりに、０〜５ＭＨｚおよび８６０ＭＨｚを上回る領域に、更なるアップストリームおよびダウンストリーム帯域を設けることも可能である。なお、このネットワークシステムは、従来から使用されている５〜１５０ＭＨｚの周波数においても動作することを理解されたい。
【００７１】
本発明の好適な実施例に従い、加入者の建物の内部において、このネットワークにより、ホームネットワーキングシステムが提供され、少なくとも１本の同軸ケーブル２２がコンセント２４などの同軸ケーブル２２に接続された複数のコンセントにＲＦトラフィックを搬送する。
【００７２】
次に図１Ｂを参照すれば、本発明の別の好適な実施例に従って構築されかつ動作可能な双方向同軸ケーブル通信ネットワークおよびコンポーネントが示されている。図１Ｂに示されているように、衛星放送受信ディッシュ３１（ＤＢＳ衛星放送システムの一部を形成していることが好ましい）から加入者の建物に隣接する地点（参照符号３２によって示されているもの）まで延長される少なくとも１本の同軸ケーブル３０を含む双方向同軸ケーブル通信ネットワークが提供されている。
【００７３】
ケーブル３０は、メディアアクセススイッチ（ＭＡＳ）３６から入力を受信する地点３２に位置する方向性カプラ３４内で終端していることが好ましく、このメディアアクセススイッチの好適な実施例については、図２を参照して後述する。メディアアクセススイッチ３６は、方向性カプラ内の適切なタップに接続された同軸双方向リンク３８を介して方向性カプラに接続され、適切な双方向データリンク４０によってデータの供給元および／または供給先に接続されていることが好ましい。
【００７４】
好適なデータカプラ３４は、米国のブロンダー・タング社（Ｂｌｏｎｄｅｒ−Ｔｏｎｇｕｅ  ｏｆ  ｔｈｅ  Ｕ．Ｓ．Ａ．）から市販されているＺＣＷまたはＺＤＣ型の方向性カプラである。
【００７５】
本発明の好適な実施例に従い、少なくとも１本の双方向同軸ケーブル４２が、地点３２の方向性カプラ３４から加入者の建物の少なくとも１つのコンセント４４まで延長され、分離周波数帯域に沿ってトラフィックを搬送する。好適なコンセント４４は多機能コンセントであり、この好適な実施例については、図５および６を参照して後述する。
【００７６】
本発明の好適な実施例に従い、加入者の建物の内部において、このネットワークにより、ホームネットワーキングシステムが提供され、少なくとも１本の同軸ケーブル４２が、コンセント４４などの同軸ケーブル４２に接続されている複数のコンセントにＲＦトラフィックを搬送する。
【００７７】
次に図１Ｃを参照すれば、本発明の更に別の好適な実施例に従って構築されかつ動作可能な双方向同軸ケーブル通信ネットワークおよびコンポーネントが示されている。図１Ｃに示されているように、ＶＳＡＴディッシュ、ＬＭＤＳ  ＣＰＥ、またはその他の適切な端末などの無線データリンク端末５１から加入者の建物に隣接する地点（参照符号５２によって示されているもの）まで延長される少なくとも１本の同軸ケーブル５０を含む双方向同軸ケーブル通信ネットワークが提供されている。
【００７８】
ケーブル５０は、地点５２に位置するメディアアクセススイッチ（ＭＡＳ）５６内で終端していることが好ましく、このメディアアクセススイッチの好適な実施例については、図２を参照して後述する。メディアアクセススイッチ５６は、加入者の建物の少なくとも１つのコンセント６４まで延長される少なくとも１本の双方向同軸ケーブル６２に接続されていることが好ましい。好適なコンセント６４は多機能コンセントであり、この好適な実施例については、図５および６を参照して後述する。
【００７９】
本発明の好適な実施例に従い、加入者の建物の内部において、このネットワークにより、ホームネットワーキングシステムが提供され、少なくとも１本の同軸ケーブル６２が、コンセント６４などの同軸ケーブル６２に接続された複数のコンセントにＲＦトラフィックを搬送する。
【００８０】
次に図１Ｄを参照すれば、本発明の更に別の好適な実施例に従って構築されかつ動作可能な双方向同軸ケーブル通信ネットワークおよびコンポーネントが示されている。図１Ｄに示されているように、ＦＴＴＣ（Ｆｉｂｅｒ  Ｔｏ  Ｔｈｅ  Ｃｕｒｂ）端末、ＤＳＬ（Ｄｉｇｉｔａｌ  Ｓｕｂｓｃｒｉｂｅｒ  Ｌｏｏｐ）  ＣＰＥ、Ｅ１／Ｔ１モデム、またはケーブルモデルなどのデータリンク端末７１から加入者の建物に隣接する地点（参照符号７２によって示されているもの）まで延長される少なくとも１本の双方向データケーブル７０を含む双方向同軸ケーブル通信ネットワークが提供されている。
【００８１】
ケーブル７０は、地点７２に位置するメディアアクセススイッチ（ＭＡＳ）７６内で終端していることが好ましく、このメディアアクセススイッチの好適な実施例については、図２を参照して後述する。メディアアクセススイッチ７６は、加入者の建物の少なくとも１つのコンセント８４まで延長される少なくとも１本の双方向同軸ケーブル８２に接続されていることが好ましい。好適なコンセント８４は多機能コンセントであり、この好適な実施例については、図５および６を参照して後述する。
【００８２】
本発明の好適な実施例に従い、加入者の建物の内部において、このネットワークにより、ホームネットワーキングシステムが提供され、少なくとも１本の同軸ケーブル８２が、コンセント８４などの同軸ケーブル８２に接続された複数のコンセントにＲＦトラフィックを搬送する。
【００８３】
次に図２を参照すれば、本発明の好適な実施例に従って構築されかつ動作可能な、図１Ａ、１Ｂ、１Ｃおよび１Ｄのネットワークにおいて有用なメディアアクセススイッチの概略的な機能ブロック図が示されている。図２に示されているように、イーサネット（登録商標）やＡＴＭデータリンクなどのデータリンク２００が、ヘッドエンドやＩＳＰスイッチなどの遠隔地から、米国カリフォルニア州サンタクララに所在するスリーコム社（３ＣＯＭ  Ｃｏｒｐｏｒａｔｉｏｎ  ｏｆ  Ｓａｎｔａ  Ｃｌａｒａ，  Ｃａｌｉｆｏｒｎｉａ，  Ｕ．Ｓ．Ａ．）が市販するＳＵＰＥＲＳＴＡＣＫ  ３  Ｒハブもしくはスイッチなどのスイッチもしくはハブもしくはルーター２０２まで延長されている。このデータリンクを介して受信したデータは、スイッチもしくはハブもしくはルーター２０２を介してＭＡＳロジック２０４に供給され、到来データフローからデータが抽出される。ＭＡＳロジック２０４の好適な実施例については、図３を参照して後述する。
【００８４】
ＭＡＳロジック２０４は、変調器２０６および復調器２０８とインターフェイスしており、これらのそれぞれは、適切な増幅器（それぞれ参照符号２１０および２１２によって示されているもの）を介して、図１Ａおよび１Ｂの実施例における方向性カプラ１４または３４などの方向性カプラのタップポートに接続されるか、あるいは、図１Ｃおよび１Ｄの実施例におけるケーブル６２または８２などの同軸ケーブルに直接接続されている。
【００８５】
次に図３を参照すれば、ＭＡＳロジック２０４の概略的な機能ブロック図が示されている。図３に示されているように、ＭＡＳロジック２０４は、ブリッジロジック回路３００を有しており、このブリッジロジック回路は、ネットワーク管理ロジック回路３０２およびＲＦ管理ロジック回路３０４に接続されている。スイッチ２０２（図２）から受信したデータは、通常、ブリッジロジック３００によって分析される。そして、データのネットワーク管理に関係する部分がネットワーク管理ロジック回路３０２に提供され、データのＲＦ管理に関係する部分がＲＦ管理ロジック回路３０４に供給される。そして、データは、ブリッジロジック３００からＲＦドライバ３０６を介して変調器２０６（図２）に出力される。
【００８６】
同様に、復調器２０８（図２）から受信したデータは、通常、ブリッジロジック回路３００によって分析される。そして、データのネットワーク管理に関係する部分がネットワーク管理ロジック回路３０２に提供され、データのＲＦ管理に関係する部分がＲＦ管理ロジック回路３０４に提供される。そして、データは、ブリッジロジック３００からスイッチ２０２（図２）に出力される。
【００８７】
ネットワーク管理ロジック回路３０２は、このシステム内の制御および状況報告を処理しており、通常、標準的なＳＮＭＰプロトコルによって動作することが好ましい。この回路３０２は、前述のようにスイッチ２０２から受信したものなどのパケットをデコードし、それらに格納されている情報に基づいて処理を実行するべく動作する。また、ネットワーク管理ロジック回路３０２は、情報を収集し様々なコンセントを構築するべく動作する。
【００８８】
次に、ＭＡＳロジック回路２０４の動作の詳細について、図４Ａ〜４Ｄに示されているフローチャートを参照して説明する。図４Ａに示されているように、ブリッジロジック回路３００は、スイッチ２０２（図２）からパケットを受信すると、パケットの宛先アドレス（ＤＡ）を分析する。そして、宛先アドレスがブロードキャストアドレスの場合には、そのパケットは、ネットワーク管理ロジック３０２（図３）およびＲＦドライバ３０６（図３）に供給される。
【００８９】
宛先アドレスがブリッジアドレスの場合には、そのパケットは、ネットワーク管理ロジック回路３０２（図３）にのみ供給される。
【００９０】
宛先アドレスが、ブリッジアドレスおよびブロードキャストアドレス以外の場合には、そのパケットは、ＲＦドライバ３０６にのみ供給される。
【００９１】
図４Ｂに示されているように、ブリッジロジック回路３００は、ネットワーク管理ロジック３０２（図３）からパケットを受信すると、パケットの宛先アドレス（ＤＡ）を分析する。そして、宛先アドレスがブロードキャストアドレスの場合には、そのパケットは、スイッチ２０２（図２）およびＲＦドライバ３０６に供給される。
【００９２】
宛先アドレスがコンセントアドレスの場合には、そのパケットは、ＲＦドライバ３０６にのみ供給される。
【００９３】
宛先アドレスが、ブロードキャストアドレスでもなく、コンセントアドレスでもない場合には、そのパケットは、スイッチ２０２にのみ供給される。
【００９４】
図４Ｃに示されているように、ブリッジロジック回路３００がＲＦ管理ロジック３０４（図３）からパケットを受信した場合には、そのパケットは、ＲＦドライバ３０６にのみ供給される。
【００９５】
図４Ｄに示されているように、ブリッジロジック３００がＲＦドライバ３０６からデータを受信し、そのデータがＲＦ制御ヘッダを有している場合には、そのデータは、ＲＦ管理ロジック３０４（図３）に転送される。ＲＦ制御ヘッダを有していない場合には、その受信データからパケットが抽出され、パケットの宛先アドレス（ＤＡ）が分析される。そして、宛先アドレスがブロードキャストアドレスの場合には、そのパケットは、ネットワーク管理ロジック３０２（図３）、スイッチ２０２（図２）、およびＲＦドライバ３０６に供給される。
【００９６】
宛先アドレスがブリッジアドレスの場合には、そのパケットは、ネットワーク管理ロジック回路３０２にのみ供給される。
【００９７】
宛先アドレスがコンセントアドレスの場合には、そのパケットは、ＲＦドライバ３０６にのみ供給される。
【００９８】
宛先アドレスが、ブロードキャストアドレスでもなく、コンセントアドレスでもない場合には、そのパケットは、スイッチ２０２にのみ供給される。
【００９９】
次に、図５を参照すれば、本発明の好適な実施例に従って構築されかつ動作可能な、図１Ａ〜１Ｄのネットワークにおいて有用な多機能コンセント５２０が示されている。コンセント５２０は、壁の内部に封入されたり、あるいは、そのベースボードに沿って延長される同軸ケーブル５２２に接続されていることが好ましい。このコンセント内の回路５２３（この好適な実施例は図６に示されている）により、同軸ケーブル５２２が１つもしくは複数のコネクタもしくはインターフェイスに接続されており、これらのコネクタやインターフェイスには、通常、テレビの同軸ケーブルソケット５２４、ブルートゥースインターフェイス５２５、ワイヤレスＲＦインターフェイス５２６、ＵＳＢ（Ｕｎｉｖｅｒｓａｌ  Ｓｅｒｉａｌ  Ｂｕｓ）もしくはＵＳＢ／２コネクタ５２７、ＩＥＥＥ１３９４ファイヤワイヤ５２９、および拡散ＩＲインターフェイスなどのＩＲインターフェイス５２８、が含まれる。
【０１００】
次に図６を参照すれば、コンセント回路（図５）の好適な実施例の概略図が示されている。方向性カプラ６００は、そのＯＵＴポートが同軸ケーブル５２２（図５）に接続され、そのＩＮポートがテレビ同軸ケーブルソケット５２４に接続されていることが好ましい。好適な方向性カプラ６００は、米国のブロンダー・タング社（Ｂｌｏｎｄｅｒ−Ｔｏｎｇｕｅ  ｏｆ  ｔｈｅ  Ｕ．Ｓ．Ａ．）から市販されているＺＣＷまたはＺＤＣ型の方向性カプラである。
【０１０１】
方向性カプラ６００のＴＡＰポートは、二股に分岐しており、一対の帯域通過フィルタ６０２および６０４に並列に接続されている。これらのフィルタ６０２および６０４の通過帯域は、通常、両方向に５〜１５０ＭＨｚである。フィルタ６０２の出力は、自動利得制御（ＡＧＣ）回路６０６およびＡ／Ｄコンバータ６０８を介して復調器６１０に供給され、その後、データ変換器６１２に供給されるが、このデータ変換機は、ＵＳＢ、ＩＲ、ブルートゥース、ＩＥＥＥ１３９４ファイヤワイヤ、およびワイヤレスＲＦに適したそれぞれ適切なフォーマットのパケットに出力をカプセル化するべく動作する。次いで、これら適切なパケットは、ブルートゥースインターフェイス５２５、ワイヤレスＲＦインターフェイス５２６、ＵＳＢもしくはＵＳＢ／２コネクタ５２７、ＩＥＥＥ１３９４ファイヤワイヤ５２９、およびＩＲインターフェイス５２８を介して送信される。
【０１０２】
ブルートゥースインターフェイス５２５、ワイヤレスＲＦインターフェイス５２６、ＵＳＢもしくはＵＳＢ／２コネクタ５２７、ＩＥＥＥ１３９４ファイヤワイヤ５２９、およびＩＲインターフェイス５２８を介してデータ変換器６１２が受信した入力は、データ変換器において、カプセル状態が解除され、変調器６１４に供給された後に、Ｄ／Ａコンバータ６１６、増幅器６１８、および帯域通過フィルタ６０４を介して方向性カプラ６００のＴＡＰポートに供給される。
【０１０３】
当業者であれば、本発明が、本明細書で具体的に示し説明した内容によっては限定されないことを理解するであろう。即ち、前述の様々な特徴のコンビネーションおよびサブコンビネーションの両方、ならびに本明細書を参照することによって当業者が想起する従来技術には存在しない変形および変更も、本発明の範囲に含まれる。
【図面の簡単な説明】
【０１０４】
【図１Ａ】本発明の好適な実施例に従って構築されかつ動作可能な双方向同軸ケーブル通信ネットワークおよびコンポーネントの様々な実施例を示す図である。
【図１Ｂ】本発明の好適な実施例に従って構築されかつ動作可能な双方向同軸ケーブル通信ネットワークおよびコンポーネントの様々な実施例を示す図である。
【図１Ｃ】本発明の好適な実施例に従って構築されかつ動作可能な双方向同軸ケーブル通信ネットワークおよびコンポーネントの様々な実施例を示す図である。
【図１Ｄ】本発明の好適な実施例に従って構築されかつ動作可能な双方向同軸ケーブル通信ネットワークおよびコンポーネントの様々な実施例を示す図である。
【図２】本発明の好適な実施例に従って構築されかつ動作可能な、図１のネットワークにおいて有用なメディアアクセススイッチの概略的な機能ブロック図である。
【図３】図２のメディアアクセススイッチの一部の概略的な機能ブロック図である。
【図４Ａ】図３の回路の動作を示す概略フローチャートである。
【図４Ｂ】図３の回路の動作を示す概略フローチャートである。
【図４Ｃ】図３の回路の動作を示す概略フローチャートである。
【図４Ｄ】図３の回路の動作を示す概略フローチャートである。
【図５】本発明の好適な実施例に従って構築されかつ動作可能な多機能コンセントを示す図である。
【図６】図２の多機能コンセントの好適な実施例の一部を形成する回路の概略的な機能ブロック図である。
【図７】代表的な従来の双方向同軸通信帯域と、本発明の好適な実施例に従って利用される代表的な追加帯域と、を含む代表的な周波数スペクトルを示す概略図である。
【図１Ａ】
2004525557.tif 000003
【図１Ｂ】
2004525557.tif 000004
【図１Ｃ】
2004525557.tif 000005
【図１Ｄ】
2004525557.tif 000006
【図２】
2004525557.tif 000007
【図３】
2004525557.tif 000008
【図４Ａ】
2004525557.tif 000009
【図４Ｂ】
2004525557.tif 000010
【図４Ｃ】
2004525557.tif 000011
【図４Ｄ】
2004525557.tif 000012
【図５】
2004525557.tif 000013
【図６】
2004525557.tif 000014
【図７】
2004525557.tif 000015
【国際公開パンフレット】
2004525557.tif 000016
2004525557.tif 000017
2004525557.tif 000018
2004525557.tif 000019
2004525557.tif 000020
2004525557.tif 000021
2004525557.tif 000022
2004525557.tif 000023
2004525557.tif 000024
2004525557.tif 000025
2004525557.tif 000026
2004525557.tif 000027
2004525557.tif 000028
2004525557.tif 000029
2004525557.tif 000030
2004525557.tif 000031
2004525557.tif 000032
2004525557.tif 000033
2004525557.tif 000034
2004525557.tif 000035
2004525557.tif 000036
2004525557.tif 000037
2004525557.tif 000038
2004525557.tif 000039
2004525557.tif 000040
2004525557.tif 000041
2004525557.tif 000042
2004525557.tif 000043
2004525557.tif 000044
2004525557.tif 000045
2004525557.tif 000046
2004525557.tif 000047
2004525557.tif 000048
2004525557.tif 000049
2004525557.tif 000050
2004525557.tif 000051
2004525557.tif 000052
2004525557.tif 000053
2004525557.tif 000054
2004525557.tif 000055
【国際公開パンフレット（コレクトバージョン）】
2004525557.tif 000056
2004525557.tif 000057
【国際調査報告】
2004525557.tif 000058